(57)【要約】【課題】  複数の領域に区分された一つの金庫装置に対して複数の利用者が利用する場合であっても適切な認証処理を行うことができる金庫装置を提供する。【解決手段】  金庫装置は、複数の内部領域への操作を制限する電気錠部１２，１３と、内部領域ごとに、利用者ごとの操作要求に対する操作権限及び利用者ＩＤを含む認証情報を記憶するメモリ部１５と、利用者ＩＤを含む認証要求を入力する認証要求入力部２１と、電気錠１２，１３に対する操作要求を入力する操作要求入力部２２と、入力された認証要求と記憶された認証情報とを用いた利用者の認証処理を行うと共に、入力された操作要求と記憶された操作権限とを用いた操作権限の認証処理を行うマイコン部１０とを備える。この金庫装置において、電気錠部１２，１３は、利用者の認証処理及び操作権限の認証処理の結果に基づいて、内部領域ごとに、操作要求に従った操作を許容する動作を行う。【選択図】      図４
2011074624.tif 000002
【特許請求の範囲】
【請求項１】
複数のセキュリティ管理領域への操作を制限する操作制限手段と、
前記セキュリティ管理領域ごとに、利用者ごとの操作要求に対する操作権限及び利用者ＩＤを含む認証情報を記憶する設定情報記憶手段と、
利用者ＩＤを含む認証要求を入力する認証要求入力手段と、
前記操作制限手段に対する操作要求を入力する操作要求入力手段と、
前記認証要求入力手段により入力された認証要求と前記設定情報記憶手段により記憶された認証情報とを用いた利用者の認証処理を行うと共に、前記操作要求入力手段により入力された操作要求と前記設定情報記憶手段により記憶された操作権限とを用いた操作権限の認証処理を行う認証処理手段とを備え、
前記操作制限手段は、前記利用者の認証処理及び前記操作権限の認証処理の結果に基づいて、前記セキュリティ管理領域ごとに、前記操作要求に従った操作を許容する動作を行うこと
を特徴とする金庫装置。
【請求項２】
各セキュリティ管理領域は、外扉を備えた箱体内に設けられた内部領域であり、
前記認証要求入力手段は、前記外扉に設けられ、
前記認証処理手段は、前記外扉の開閉操作要求に対する利用者の認証処理を前記認証要求入力手段により入力された認証要求に基づいて行い、前記内部領域の操作に対する操作権限の認証処理を前記認証要求入力手段により入力された認証要求及び前記操作要求入力手段により入力された操作要求に基づいて行うことを特徴とする請求項１に記載の金庫装置。
【請求項３】
前記操作要求入力手段は、前記操作要求として前記内部領域に対する内容確認操作を行う要求を入力することを特徴とする請求項２に記載の金庫装置。
【請求項４】
前記認証処理手段は、前記外扉の開閉操作に対する認証処理を行った後からの経過時間が所定時間を超えた場合に、前記内部領域の操作を許容する動作を解除することを特徴とする請求項２に記載の金庫装置。
【請求項５】
前記内部領域内に収容された保管物の重量を計測する重量検知部を備え、
前記認証処理手段により認証された前記操作要求と反する重量変化を前記重量検知部により検出した場合に、報知を行う報知手段を備えることを特徴とする請求項１乃至請求項４の何れか一項に記載の金庫装置。
【発明の詳細な説明】
【技術分野】
【０００１】
本発明は、各種の物を収容する金庫装置に関する。
【背景技術】
【０００２】
従来より、人物を認証して使用可否を制御する貸金庫システムが、下記の特許文献１などにて知られている。
【０００３】
この貸金庫システムは、銀行や証券会社等の金融機関が金庫の一部を顧客に貸し出す貸金庫において、生体認証技術を利用し、個人別の生体特性を認識して顧客本人であるかを認証する。そして、貸金庫システムは、認証処理の結果、顧客本人であることが認証された場合にのみ、貸金庫を使用できるようにしている。
【先行技術文献】
【特許文献】
【０００４】
【特許文献１】特開２００４−２１１５４１号公報
【発明の概要】
【発明が解決しようとする課題】
【０００５】
しかしながら、上述した特許文献１に記載された貸金庫システムは、貸金庫の利用者が生体認証技術を用いて顧客であることを特定し、貸金庫に対する開閉動作を制御可能としている。しかし、この貸金庫システムは、複数の利用者で、複数の領域に区分された一つの金庫を利用する場合に、利用者ごと及び複数の操作ごと、に対する認証を行うことができないという問題がある。
【０００６】
そこで、本発明は、上述した実情に鑑みて提案されたものであり、複数の領域に区分された一つの金庫装置に対して複数の利用者が利用する場合であっても適切な認証処理を行うことができる金庫装置を提供することを目的とする。
【課題を解決するための手段】
【０００７】
本発明に係る金庫装置は、複数のセキュリティ管理領域への操作を制限する操作制限手段と、セキュリティ管理領域ごとに、利用者ごとの操作要求に対する操作権限及び利用者ＩＤを含む認証情報を記憶する設定情報記憶手段と、利用者ＩＤを含む認証要求を入力する認証要求入力手段と、操作制限手段に対する操作要求を入力する操作要求入力手段と、認証要求入力手段により入力された認証要求と設定情報記憶手段により記憶された認証情報とを用いた利用者の認証処理を行うと共に、操作要求入力手段により入力された操作要求と設定情報記憶手段により記憶された操作権限とを用いた操作権限の認証処理を行う認証処理手段とを備える。この金庫装置において、操作制限手段は、利用者の認証処理及び操作権限の認証処理の結果に基づいて、セキュリティ管理領域ごとに、操作要求に従った操作を許容する動作を行う。
【０００８】
本発明に係る金庫装置は、各セキュリティ管理領域が、外扉を備えた箱体内に設けられた内部領域であり、認証要求入力手段が、外扉に設けられている。この金庫装置において、認証処理手段は、外扉の開閉操作要求に対する利用者の認証処理を認証要求入力手段により入力された認証要求に基づいて行い、内部領域の操作に対する操作権限の認証処理を認証要求入力手段により入力された認証要求及び操作要求入力手段により入力された操作要求に基づいて行っても良い。
【０００９】
本発明に係る金庫装置は、操作要求入力手段が、操作要求として内部領域に対する内容確認操作を行う要求を入力しても良い。
【００１０】
本発明に係る金庫装置は、認証処理手段が、外扉の開閉操作に対する認証処理を行った後からの経過時間が所定時間を超えた場合に、内部領域の操作を許容する動作を解除することが望ましい。
【００１１】
本発明に係る金庫装置は、内部領域内に収容された保管物の重量を計測する重量検知部を備え、認証処理手段により認証された操作要求と反する重量変化を重量検知部により検出した場合に、報知を行う報知手段を備えることが望ましい。
【発明の効果】
【００１２】
本発明に係る金庫装置によれば、認証要求入力手段により入力した認証要求と設定情報記憶手段により記憶された認証情報とを用いた利用者の認証処理を行うと共に、操作要求入力手段により入力された操作要求と設定情報記憶手段により記憶された操作権限とを用いた操作権限の認証処理を行う。そして、操作制限手段は、利用者の認証処理及び操作権限の認証処理の結果に基づいて、セキュリティ管理領域ごとに、操作要求に従った操作を許容することができる。したがって、この金庫装置によれば、複数のセキュリティ管理領域に区分された一つの金庫装置に対して複数の利用者が利用する場合であっても、適切な認証処理を行うことができる。
【００１３】
また、この金庫装置によれば、外扉の開閉操作要求に対する利用者の認証処理を認証要求入力手段により入力された認証要求に基づいて行い、内部領域の操作に対する操作権限の認証処理を認証要求入力手段により入力された認証要求及び操作要求入力手段により入力された操作要求に基づいて行う。これにより、金庫装置は、予め操作権限が与えられた利用者以外により内部領域に対して操作要求をすることを抑制できる。
【００１４】
更に、この金庫装置によれば、操作要求入力手段が、操作要求として内部領域に対する内容確認操作を行う要求を入力するので、内部領域に対する預け入れ及び引き出しに限らず、単に確認する操作に対しても利用者の認証処理及び操作権限の認証処理を行うことができる。
【００１５】
更にまた、この金庫装置によれば、外扉の開閉操作に対する認証処理を行った後からの経過時間が所定時間を超えた場合に内部領域の操作を許容する動作を解除するので、内部領域に対する操作要求における不正を生じにくくすることができる。
【００１６】
更にまた、この金庫装置によれば、操作要求と反する重量変化を検出した場合に、報知を行うので、操作要求に反する不正な操作がされた場合には報知を行って、セキュリティ性を更に向上させることができる。
【図面の簡単な説明】
【００１７】
【図１】本発明の実施形態として示す金庫装置の外観構成を示す斜視図である。
【図２】本発明の実施形態として示す金庫装置における預け入れ口の動作を示す正面図である。
【図３】本発明の実施形態として示す金庫装置における引き出し口の動作を示す正面図である。
【図４】本発明の実施形態として示す金庫装置の機能的な構成を示すブロック図である。
【図５】本発明の実施形態として示す金庫装置の動作手順を示すフローチャートである。
【図６】本発明の実施形態として示す金庫装置において、保管物の重量に基づく動作手順を示すフローチャートである。
【発明を実施するための形態】
【００１８】
以下、本発明の実施の形態について図面を参照して説明する。
【００１９】
本発明の実施の形態として示す金庫装置は、例えば図１に示すような外観構成となっている。この金庫装置は、箱体１、外扉１ａ、預け入れ口２Ａ、２Ｂ、引き出し口３Ａ、３Ｂ、記憶装置４、及び警報装置５を有する。
【００２０】
金庫装置は、箱体１の前面に外扉１ａが設けられている。箱体１の内部には、複数の預け入れ口２Ａ、２Ｂ及び複数の引き出し口３Ａ、３Ｂが設けられている。これら預け入れ口２Ａ、２Ｂ及び引き出し口３Ａ、３Ｂは、各利用者ごとに設けられている。預け入れ口２Ａ、２Ｂ及び引き出し口３Ａ、３Ｂの内部には、セキュリティ管理領域として、利用者の保管物が収容される内部領域６Ａ，６Ｂが設けられている。この内部領域６Ａ，６Ｂは、前方が引き出し口３Ａ、３Ｂとなっている箱体である。この引き出し口３Ａ、３Ｂ及び内部領域６Ａ，６Ｂからなる箱体は、上部が預け入れ口２Ａ、２Ｂに通じている。利用者は、預け入れ口２Ａ、２Ｂから保管物を預け入れることにより、内部領域６Ａ，６Ｂに保管物を収容できる。また、当該預け入れ口２Ａ、２Ｂの下部に設けられた引き出し口３Ａ、３Ｂ及び内部領域６Ａ，６Ｂのである箱体を取り出すことにより、保管物を取り出すことができる。
【００２１】
外扉１ａ、預け入れ口２Ａ、２Ｂ及び引き出し口３Ａ、３Ｂには、それぞれ、施錠動作及び解錠動作を行う電気錠が設けられている。各電気錠は、箱体１内部に設けられたマイコン部に接続されて、別個に施錠動作及び解錠動作が制御される。これにより、金庫装置は、外扉１ａ、預け入れ口２Ａ、２Ｂ、及び引き出し口３Ａ、３Ｂを別個に解錠及び施錠する。この預け入れ口２Ａ、２Ｂの電気錠、引き出し口３Ａ、３Ｂの電気錠は、セキュリティ管理領域である内部領域６Ａ，６Ｂに対する操作を制限する操作制限手段として機能する。
【００２２】
外扉１ａは、利用者の開閉操作により箱体１に対して開閉可能となっている。この外扉１ａの開閉動作は、電気錠の動作により制限される。この外扉１ａの電気錠は、セキュリティ管理領域である内部領域６Ａ，６Ｂに対する操作を制限する操作制限手段として機能する。
【００２３】
預け入れ口２Ａ、２Ｂは、図２（ａ）に示すように閉状態時には電気錠により施錠されている。預け入れ口２Ａ、２Ｂは、電気錠により解錠されて取っ手２ａが押し出すように操作されると、図２（ｂ）のように箱体１の内部に向けて可動となる構成となっている。利用者は、預け入れ口２Ａ、２Ｂの可動時に保管物を内部領域６Ａ，６Ｂに入れることができる。預け入れ口２Ａ、２Ｂは、「預け入れ」の操作要求に応じて内部に動く。このとき、金庫装置は、預け入れ口２Ａ、２Ｂの電気錠を施錠状態から解錠状態に動作させる。
【００２４】
引き出し口３Ａ、３Ｂは、図３（ａ）に示すように、閉状態時には、スライド扉３ｂが電気錠により施錠されている。引き出し口３Ａ、３Ｂは、電気錠により前面３ａのスライド扉３ｂが施錠及び解錠される。引き出し口３Ａ、３Ｂは、「確認」の操作要求に応じて、電気錠による解錠時にスライド扉３ｂがスライドされる。スライド扉３ｂの内部には、透明の強化ガラス３ｃが設けられている。利用者は、この強化ガラス３ｃを通して内部領域６Ａ，６Ｂの保管物を視認できる。
【００２５】
引き出し口３Ａ、３Ｂ及び内部領域６Ａ，６Ｂからなる箱体は、当該箱体に対して電気錠により施錠又は解錠される。引き出し口３Ａ、３Ｂ及び内部領域６Ａ，６Ｂからなる箱体は、「引き出し」の操作要求に応じて、電気錠により解錠されて、取り出すことが可能である。
【００２６】
内部領域６Ａ，６Ｂは、「引き出し」の操作要求に応じて前方に引き出すことができる。このとき、金庫装置は、引き出し口３Ａ、３Ｂの電気錠を施錠状態から解錠状態に動作させる。
【００２７】
図３には示されていないが、引き出し口３Ａ、３Ｂの内部領域６Ａ，６Ｂの下部には、重量検知部が内蔵されている。この重量検知部は、引き出し口３Ａ、３Ｂから内部領域６Ａ，６Ｂに収容された保管物の重量を検知して、マイコン部に供給する。
【００２８】
記憶装置４は、箱体１の内部に設けられている。記憶装置４は、箱体１内部に設けられたマイコン部に接続されている。
【００２９】
警報装置５は、箱体１の上部に設けられている。警報装置５は、箱体１内部に設けられたマイコン部に接続されている。
【００３０】
つぎに、図４を参照して、金庫装置の機能的な構成について説明する。
【００３１】
金庫装置は、箱体１内に、マイコン部１０、開閉検知部１１、引き出し用電気錠部１２、預け入れ用電気錠部１３、重量検知部１４、メモリ部１５及び警報部１６を備えている。メモリ部１５は、上述の記憶装置４に相当する。警報部１６は、上述の警報装置５に相当する。
【００３２】
外扉１ａには、認証要求入力部２１、操作要求入力部２２、設定情報入力部２３及び外扉電気錠部２４が含まれている。これら認証要求入力部２１、操作要求入力部２２、設定情報入力部２３及び外扉電気錠部２４は、マイコン部１０に接続されている。
【００３３】
マイコン部１０は、金庫装置における動作を制御する。マイコン部１０は、開閉検知部１１から供給された信号、重量検知部１４から供給された検知信号、認証要求入力部２１から供給された認証要求、操作要求入力部２２から供給された操作要求、設定情報入力部２３して記憶しておいた設定情報を取得する。マイコン部１０は、これらの取得した情報に基づいて、利用者の認証処理及び操作権限の認証処理を行って、引き出し用電気錠部１２、預け入れ用電気錠部１３及び外扉電気錠部２４の施錠動作及び解錠動作を制御する。引き出し用電気錠部１２，預け入れ用電気錠部１３及び外扉電気錠部２４は、利用者の認証処理及び操作権限の認証処理の結果に基づいて、内部領域６Ａ，６Ｂごとに、操作要求に従った操作を許容する動作を行う。
【００３４】
このとき、マイコン部１０は、利用者ＩＤを含む認証要求に基づいて利用者の認証処理を行うと共に、操作要求に基づいて操作権限の認証処理を行う（認証処理手段）。このマイコン部１０は、認証要求入力部２１により入力された認証要求と設定情報入力部２３により入力して記憶しておいた認証情報とを用いた利用者の認証処理を行う。また、マイコン部１０は、操作要求入力部２２により入力された操作要求と設定情報入力部２３により入力して記憶しておいた操作権限とを用いた操作権限の認証処理を行う。これら認証処理の結果、利用者に対して操作を許可する場合には、マイコン部１０は、当該操作要求に応じた外扉電気錠部２４、引き出し用電気錠部１２、預け入れ用電気錠部１３を動作させる。
【００３５】
開閉検知部１１は、外扉１ａの開閉を検知する。開閉検知部１１により検知された外扉１ａの開閉に応じた信号は、マイコン部１０に供給される。これにより、マイコン部１０は、外扉１ａの開閉状態の変化を認識する。
【００３６】
引き出し用電気錠部１２は、マイコン部１０の制御に従って、引き出し口３Ａ、３Ｂ及び内部領域６Ａ，６Ｂを引き出し不能とする施錠状態と、引き出し口３Ａ、３Ｂ及び内部領域６Ａ，６Ｂを引き出し可能とする解錠状態との間で状態が遷移される。この引き出し用電気錠部１２は、引き出し口３Ａ及び内部領域６Ａ、引き出し口３Ｂ及び内部領域６Ｂごとに設けられ、別個にマイコン部１０により制御される。
【００３７】
また、引き出し用電気錠部１２は、各引き出し口３Ａ、３Ｂに設けられたスライド扉３ｂをスライド不能とする施錠状態と、各スライド扉３ｂをスライド可能とする解錠状態との間で遷移させる。この引き出し用電気錠部１２は、引き出し口３Ａに設けられたスライド扉３ｂ、引き出し口３Ｂに設けられたスライド扉３ｂごとに設けられ、別個にマイコン部１０により制御される。
【００３８】
なお、引き出し用電気錠部１２は、引き出し口３Ａ、３Ｂ及び内部領域６Ａ，６Ｂからなる箱体と、スライド扉３ｂとの双方を単一の部材により施錠及び解錠するとしているが、別個の電気錠を用いても良いことは勿論である。
【００３９】
預け入れ用電気錠部１３は、マイコン部１０の制御に従って、預け入れ口２Ａ、２Ｂを不能とする施錠状態と、引き出し口３Ａ、３Ｂ及び内部領域６Ａ，６Ｂを引き出し可能とする解錠状態との間で状態が遷移される。引き出し用電気錠部１２は、引き出し口３Ａ及び内部領域６Ａ、引き出し口３Ｂ及び内部領域６Ｂごとに設けられ、別個にマイコン部１０により制御される。
【００４０】
重量検知部１４は、内部領域６Ａ，６Ｂに収容されている保管物の重量を検知する。重量検知部１４は、内部領域６Ａ，６Ｂごとに、当該内部領域６Ａ，６Ｂの下部に設けられている。重量検知部１４は、検知している保管物の重量がマイコン部１０により読み取られる。これにより、マイコン部１０は、各内部領域６Ａ，６Ｂに収容されている保管物の重量の変化を認識することができる。
【００４１】
メモリ部１５は、マイコン部１０の制御に従って、設定情報入力部２３により入力された設定情報を記憶する。これにより、設定情報入力部２３及びメモリ部１５は、設定情報記憶手段として機能する。メモリ部１５に記憶された情報は、必要に応じてマイコン部１０により読み込まれ、又は変更される。
【００４２】
警報部１６（報知部）は、マイコン部１０の制御に従って、報知を行う。警報部１６は、金庫装置に対して不正な操作を検出したときに、その旨を報知する。
【００４３】
認証要求入力部２１は、利用者ＩＤを含む認証要求を入力する。この認証要求は、利用者の操作に応じて入力する（認証要求入力手段）。この認証要求には、少なくとも利用者ＩＤが含まれる。認証要求には、パスワード、バイオメトリクス情報（生体情報）が含まれる。認証要求入力部２１は、読み取った認証要求をマイコン部１０に供給する。
【００４４】
パスワードを認証要求として入力する場合、認証要求入力部２１は、例えば、「１〜１０」の数字キー、確定キー、クリアキー等のキー入力部からなる。バイオメトリクス情報としては、人間の身体的特徴（生体器官）や行動的特徴（癖）の情報である。バイオメトリクス情報を認証要求として入力する場合、認証要求入力部２１は、例えば指紋入力用光学機構を有し、利用者の指紋形状を画像情報として読み取る。更に、バイオメトリクス情報としては、瞳の中の虹彩、手のひらや指の血管の形を読み取る静脈認証、声紋、顔形、筆跡等が挙げられる。認証要求入力部２１は、外扉１ａが閉じられた状態で操作可能な外扉１ａの外面に設けられる。
【００４５】
操作要求入力部２２は、操作検出手段である引き出し用電気錠部１２、預け入れ用電気錠部１３に対する操作要求を入力する。この操作要求は、利用者が希望する操作である。この操作要求としては、保管物を預け入れるための「預け入れ要求」、保管物を取り出すための「引き出し要求」、強化ガラス３ｃを介して内部領域６Ａ，６Ｂ内の保管物を視認する「確認要求」がある。操作要求入力部２２は、例えば、外扉１ａに設けられたキー操作部により構成される。これらのキー操作部は、例えば、預け入れ要求ボタン、引き出し要求ボタン、確認要求ボタンがあり、当該各ボタンが押されたことにより、操作要求入力部２２は、これらの操作要求情報を入力する。この操作要求情報は、操作要求入力部２２からマイコン部１０に出力される。操作要求入力部２２は、外扉１ａが閉じられた状態で操作可能な外扉１ａの外面に設けられる。
【００４６】
設定情報入力部２３は、セキュリティ管理領域である内部領域６Ａ，６Ｂごとに、利用者ごとの操作要求に対する操作権限及び利用者ＩＤを含む認証情報を設定する設定情報を入力する。この設定情報は、内部領域６Ａ，６Ｂごとの、操作要求入力部２２により入力する認証要求と比較する認証情報、引き出し口３Ａ、３Ｂを識別するための引き出しＩＤ、利用者ごとに操作可能な操作要求を示す操作権限、高又は低のセキュリティレベルが含まれる。
【００４７】
この設定情報は、設定情報入力部２３により入力し、マイコン部１０の制御に従って、利用者ＩＤ及び内部領域６Ａ，６Ｂに対応付けられて、テーブルデータとして、メモリ部１５に記憶される。設定情報入力部２３は、外扉１ａが閉じられた状態で操作可能な外扉１ａの外面に設けられる。なお、設定情報入力部２３は、直接的に利用者や金庫装置の管理者が操作するボタン類に限られず、メモリカードに記憶された設定情報を読み取るインターフェース、パソコンから設定情報を入力するインターフェースであっても良い。
【００４８】
外扉電気錠部２４は、マイコン部１０の制御に従って、外扉１ａを開閉不能とする施錠状態と、外扉１ａを開閉可能とする解錠状態との間で状態が遷移される。
【００４９】
つぎに、上述したように構成された金庫装置の動作について、図５を参照して説明する。この金庫装置は、利用者が保管物を預け入れる前に、設定情報入力部２３により、利用者の認証情報、利用者が使用する引き出し口３Ａ、３Ｂ及び内部領域６Ａ，６Ｂの引き出しＩＤ、操作権限、セキュリティレベルを入力して、メモリ部１５に記憶しておく。また、金庫装置は、外扉１ａのロック解除時間を設定する。このロック解除時間は、外扉１ａが開操作された後において内部領域６Ａ，６Ｂに対する操作を許容する所定時間である。このとき、マイコン部１０は、所定のロック解除時間となると、外扉１ａの外扉電気錠部２４を制御して、外扉１ａの外扉電気錠部２４を解錠状態とする。
【００５０】
利用者が金庫装置に対して操作又は所定のロック解除時間におけるステップＳ１において、認証要求入力部２１は、利用者ＩＤを含む認証要求を入力する。なお、以下の例としては、認証要求には、利用者ＩＤとパスワードが含まれるものとする。この認証要求は、認証要求入力部２１によりマイコン部１０に供給される。
【００５１】
次のステップＳ２において、マイコン部１０は、ステップＳ１にて入力した認証要求と、メモリ部１５に予め記録されている認証情報とを比較して、入力した認証要求が正しいものであるか否かを評価する利用者の認証処理を行う。このとき、マイコン部１０は、認証処理に含まれる利用者ＩＤに対応付けられてメモリ部１５に記憶しているパスワードを読みだし、ステップＳ１にて入力した利用者ＩＤとパスワードとの組み合わせが、メモリ部１５に記憶された利用者ＩＤとパスワードとの組み合わせと合致するか否かを判定する。これにより、マイコン部１０は、認証要求が正しいものかを判定する認証処理を行う。
【００５２】
次のステップＳ３において、マイコン部１０は、ステップＳ２にて行った利用者の認証処理の結果、ステップＳ１にて入力した認証要求が正しいものであると判定した場合にはステップＳ４に処理を進め、そうでない場合にはステップＳ１３に処理を進める。ステップＳ１３において、マイコン部１０は、ステップＳ１にて入力した認証要求を用いた利用者の認証処理は失敗したことを出力して、処理を終了する。具体的には、マイコン部１０は、例えば外扉１ａに設けられた液晶表示画面又は音声などによって、認証処理が失敗したことを利用者に通知する。
【００５３】
ステップＳ４において、マイコン部１０は、図示しないタイマにより計時している時刻を外扉１ａのロック解除時刻としてメモリ部１５に保存する。また、マイコン部１０は、外扉電気錠部２４を制御して、外扉１ａを解錠状態にする。これにより、マイコン部１０は、外扉１ａを開操作可能にする。この後、マイコン部１０は、操作要求入力部２２により入力した操作要求情報に応じて動作する状態となる。
【００５４】
次のステップＳ５において、操作要求入力部２２は、利用者の操作に応じて操作要求を入力する。この操作要求は、預け入れ要求、引き出し要求、確認要求の何れかである。この操作要求入力部２２により入力した操作要求は、マイコン部１０に出力される。
【００５５】
次のステップＳ６において、マイコン部１０は、ステップＳ５にて入力した操作要求と、メモリ部１５に記憶された利用者の操作権限とを比較して、当該利用者に操作要求によって要求している操作を行う操作権限があるか否かの操作権限の認証処理を判定する。操作要求入力部２２が入力した操作要求に対して操作権限がある場合にはステップＳ７に処理を進め、そうでない場合には処理を終了する。
【００５６】
例えば、利用者によっては設定情報入力部２３により入力して記憶しておいた設定情報により、「確認要求」の操作要求のみが許可されていて、「預け入れ」、「引き出し」の操作要求が許可されていない操作権限が設定されているとする。この場合、この利用者が、ステップＳ５にて操作要求入力部２２により「引き出し」の操作要求をした場合には、当該入力した操作要求に対して操作権限が無いと判定する。一方、この利用者が、ステップＳ５にて操作要求入力部２２により「確認要求」の操作要求をした場合には、当該入力した操作要求に対して操作権限があると判定する。利用者が操作要求に対して操作権限がない場合、マイコン部１０は、処理を終了させる。なお、処理を終了させる場合、その旨を画像又は音声にて通知しても良い。
【００５７】
次のステップＳ７〜ステップＳ１０において、マイコン部１０は、ステップＳ６にて操作権限があると判定された操作要求内容に応じた動作を行う。
【００５８】
マイコン部１０は、ステップＳ７にて操作要求が「預け入れ」であると判定した場合には、ステップＳ８に処理を進める。ステップＳ８において、マイコン部１０は、預け入れ口２Ａ、２Ｂを施錠している預け入れ用電気錠部１３を制御して、当該預け入れ用電気錠部１３を解錠状態にする。これにより、預け入れ口２Ａ、２Ｂのロックを解除する。このとき、マイコン部１０は、メモリ部１５に記憶されている利用者ＩＤに対応した引き出しＩＤに対応した内部領域６Ａ，６Ｂの預け入れ口２Ａ、２Ｂについてのみ、当該預け入れ口２Ａ、２Ｂのロックを解除する。
【００５９】
マイコン部１０は、ステップＳ７にて操作要求が「引き出し」であると判定した場合には、ステップＳ９に処理を進める。ステップＳ９において、マイコン部１０は、引き出し口３Ａ、３Ｂ及び内部領域６Ａ，６Ｂの箱体を施錠している引き出し用電気錠部１２を制御して、当該引き出し用電気錠部１２を解錠状態にする。これにより、引き出し口３Ａ、３Ｂ及び内部領域６Ａ，６Ｂの箱体に対するロックを解除する。このとき、マイコン部１０は、メモリ部１５に記憶されている利用者ＩＤに対応した引き出しＩＤに対応した内部領域６Ａ，６Ｂについてのみ、当該内部領域６Ａ，６Ｂのロックを解除する。
【００６０】
マイコン部１０は、ステップＳ７にて操作要求が内部領域６Ａ，６Ｂ内の「確認」であると判定した場合には、ステップＳ１０に処理を進める。ステップＳ１０において、マイコン部１０は、スライド扉３ｂを施錠している引き出し用電気錠部１２を制御して、当該引き出し用電気錠部１２を解錠状態にする。これにより、スライド扉３ｂのロックを解除する。このとき、マイコン部１０は、メモリ部１５に記憶されている利用者ＩＤに対応した引き出しＩＤに対応したスライド扉３ｂについてのみ、当該スライド扉３ｂのロックを解除する。
【００６１】
次のステップＳ１１において、マイコン部１０は、ステップＳ４にて保存した外扉１ａを開状態とした時刻から、指定されたロック解除時間が経過したか否かを判定する。ロック解除時間が経過していない場合には、ステップＳ１３に処理を進める。
【００６２】
マイコン部１０は、ステップＳ１３において、利用者の操作が終了したか否かを判定し、利用者の操作が終了した場合には処理を終了し、利用者の操作が終了していない場合にはステップＳ１１に処理を戻す。このとき、マイコン部１０は、ロックを解除した外扉１ａ、預け入れ口２Ａ、２Ｂ、引き出し口３Ａ、３Ｂ及び内部領域６Ａ，６Ｂからなる箱体、スライド扉３ｂが閉状態とされて再度ロック状態となった場合には、利用者の操作が終了したと判定する。ステップＳ１１に処理を戻した場合、マイコン部１０は、ステップＳ１１の判定を繰り返すことにより、操作要求に応じたロックの解除状態（ステップＳ８，ステップＳ９，ステップＳ１０）を継続する。
【００６３】
ロック解除時間が経過した場合、マイコン部１０は、処理をステップＳ１２に進める。このように、マイコン部１０は、外扉１ａの開閉操作に対する認証処理を行った後（ステップＳ４）からの経過時間が所定時間を超えた場合に、内部領域６Ａ，６Ｂの操作を許容する動作を解除する。
【００６４】
ステップＳ１２において、マイコン部１０は、ステップＳ８，ステップＳ９又はステップＳ１０にて解錠した引き出し用電気錠部１２又は預け入れ用電気錠部１３を施錠するように制御する。これにより、マイコン部１０は、預け入れ口２Ａ、２Ｂ、引き出し口３Ａ、３Ｂ及び内部領域６Ａ，６Ｂ、又はスライド扉３ｂをロック状態にする。
【００６５】
以上説明したように、この金庫装置によれば、認証要求入力部２１により入力した認証要求と設定情報入力部２３により入力して記憶しておいた認証情報とを用いた利用者の認証処理を行うと共に、操作要求入力部２２により入力された操作要求と設定情報入力部２３により入力して記憶しておいた操作権限とを用いた操作権限の認証処理を行う。そして、引き出し用電気錠部１２、預け入れ用電気錠部１３は、利用者の認証処理及び操作権限の認証処理の結果に基づいて、内部領域６Ａ，６Ｂごとに、操作要求に従った操作を許容することができる。したがって、この金庫装置によれば、複数の内部領域６Ａ，６Ｂに区分された一つの金庫装置に対して複数の利用者が利用する場合であっても、適切な認証処理を行うことができる。
【００６６】
また、この金庫装置によれば、外扉１ａの開閉操作要求に対する利用者の認証処理を認証要求入力部２１により入力された認証要求に基づいて行い（ステップＳ３）、内部領域６Ａ，６Ｂの操作に対する操作権限の認証処理を認証要求入力部２１により入力された認証要求及び操作要求入力部２２により入力された操作要求に基づいて行う（ステップＳ３，ステップＳ６）。これにより、金庫装置は、予め操作権限が与えられた利用者以外により内部領域６Ａ，６Ｂに対して操作要求をすることを抑制できる。
【００６７】
更に、この金庫装置によれば、操作要求入力部２２により、操作要求として内部領域６Ａ，６Ｂに対する内容確認操作を行う要求を入力するので、保管物の内部領域６Ａ，６Ｂに対する預け入れ及び引き出しに限らず、単に保管物を確認する操作に対しても利用者の認証処理及び操作権限の認証処理を行うことができる。
【００６８】
更にまた、この金庫装置によれば、外扉１ａの開閉操作に対する認証処理を行った後からの経過時間が所定時間を超えた場合に（ステップＳ１１）、内部領域６Ａ，６Ｂの操作を許容する動作を解除する（ステップＳ１２）。これにより、金庫装置によれば、内部領域６Ａ，６Ｂに対する操作要求における不正を生じにくくすることができる。
【００６９】
つぎに、上述した金庫装置において更にセキュリティ性を高める実施形態について、図６を参照して説明する。
【００７０】
この実施形態における金庫装置において、マイコン部１０は、重量検知部１４により検知されている内部領域６Ａ，６Ｂ内の保管物の重量に応じて警報装置５を制御することができる。
【００７１】
マイコン部１０は、図６のステップＳ２１において、認証要求入力部２１から入力した利用者ＩＤを含む認証要求及び操作要求入力部２２から入力した操作要求を取得したとき、当該利用者ＩＤ及び操作要求に対応付けてメモリ部１５に記憶されたセキュリティ設定を判定する。セキュリティ設定が「低」である場合、マイコン部１０は、重量に基づく警報装置５の作動は行わずに処理を戻す。一方、セキュリティ設定が「高」である場合、マイコン部１０は、ステップＳ２２に処理を進める。
【００７２】
ステップＳ２２において、マイコン部１０は、重量検知部１４により検知されている内部領域６Ａ，６Ｂの下部における重量を読み取る。
【００７３】
次のステップＳ２３において、マイコン部１０は、図５におけるステップＳ６にて操作権限があると判定された操作要求内容を判定する。
【００７４】
マイコン部１０は、ステップＳ２３において操作要求が「預け入れ」であると判定した場合に、預け入れ用電気錠部１３を解錠状態にすることにより、預け入れ口２Ａ、２Ｂのロックを解除する。その後、預け入れ口２Ａ、２Ｂが内部に可動な状態となった後、マイコン部１０は、ステップＳ２４において、重量検知部１４により検知されている重量が減少したか否かを判定する。重量が減少した場合、マイコン部１０は、警報装置５を制御して、警報を報知する。一方、重量の減少がない場合、マイコン部１０は、処理をステップＳ１に戻す。このステップＳ１に処理を戻すタイミングは、例えばステップＳ１３にて操作が終了と判定されるときである。
【００７５】
マイコン部１０は、ステップＳ２３において操作要求が「引き出し」であると判定した場合に、預け入れ用電気錠部１３を解錠状態にすることにより、引き出し口３Ａ、３Ｂ及び内部領域６Ａ，６Ｂの箱体に対するロックを解除する。その後、引き出し口３Ａ、３Ｂ及び内部領域６Ａ，６Ｂの箱体が可動な状態となった後、マイコン部１０は、ステップＳ２５において、重量検知部１４により検知されている重量が増加したか否かを判定する。重量が増加した場合、マイコン部１０は、警報装置５を制御して、警報を報知する。一方、重量の増加がない場合、マイコン部１０は、処理をステップＳ１に戻す。
【００７６】
マイコン部１０は、ステップＳ２３において操作要求が「確認」であると判定した場合に、預け入れ用電気錠部１３を解錠状態にすることにより、スライド扉３ｂのロックを解除する。その後、スライド扉３ｂがスライド可能な状態となった後、マイコン部１０は、ステップＳ２６において、重量検知部１４により検知されている重量が変化したか否かを判定する。重量が変化した場合、マイコン部１０は、警報装置５を制御して、警報を報知する。一方、重量の変化がない場合、マイコン部１０は、処理をステップＳ１に戻す。
【００７７】
また、金庫装置は、設定情報としてセキュリティレベルが「高」とされている場合にのみならず、当該重量に対して警報装置５を作動させることもできる。
【００７８】
このように、金庫装置は、内部領域６Ａ，６Ｂ内に収容された保管物の重量を計測する重量検知部１４を備え、認証処理により認証された操作要求と反する重量変化を重量検知部１４により検出した場合に、警報装置５（報知手段）により報知を行う。これにより、金庫装置は、操作要求に反する不正な操作がされた場合には報知を行って、セキュリティ性を更に向上させることができる。
【００７９】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００８０】
１  箱体
１ａ  外扉
２Ａ、２Ｂ  預け入れ口
３Ａ、３Ｂ  引き出し口３Ａ、３Ｂ
３ｂ  スライド扉
３ｃ  強化ガラス
４  記憶装置
５  警報装置
６Ａ，６Ｂ  内部領域
１０  マイコン部
１１  開閉検知部
１２  引き出し用電気錠部
１３  預け入れ用電気錠部
１４  重量検知部
１５  メモリ部
１６  警報部
２１  認証要求入力部
２２  操作要求入力部
２３  設定情報入力部
２４  外扉電気錠部
【図１】
2011074624.tif 000003
【図２】
2011074624.tif 000004
【図３】
2011074624.tif 000005
【図４】
2011074624.tif 000006
【図５】
2011074624.tif 000007
【図６】
2011074624.tif 000008